(57)【要約】【課題】音符や和音記号の知識がない人でもすぐに読めたり書いたりできる楽譜および楽譜表示装置を提供する。【解決手段】五線譜の小節１に対応する小節枠２を構成し、この小節枠２を区切って拍枠３を構成し、拍枠３内に占める割合でその長さを表す音名４や記号５を拍枠３の中に横並びに記入することで単音４１を表し、音名４や記号５を拍枠３の中に縦並びに記入することで和音４２や重音４３を表すことを特徴とする楽譜および楽譜表示装置を構成する。【選択図】      図１
2004177445.tif 000002
【特許請求の範囲】
【請求項１】
五線譜の小節１に対応する小節枠２を構成し、この小節枠２を区切って拍枠３を構成し、拍枠３内に占める割合でその長さを表す単音４や記号５を拍枠３の中に記入することで表記されることを特徴とする楽譜。
【請求項２】
五線譜の小節１に対応する小節枠２を構成し、この小節枠２を区切って拍枠３を構成し、拍枠３内に占める割合でその長さを表す音名４や記号５を拍枠３の中に記入し、単音４１は音名４や記号５を拍枠３の中に横並びに記入することで表し、和音４２や重音４３は音名４や記号５を拍枠３の中に縦並びに記入することで表すことを特徴とする楽譜。
【請求項３】
五線譜の小節１に対応する小節枠２を構成し、この小節枠２を区切って拍枠３を構成し、拍枠３内に占める割合でその長さを表す音名４や継続記号５１や無音記号５２を拍枠３の中に記入し、単音４１は音名４や継続記号５１を拍枠３の中に横並びに記入することで表し、和音４２や重音４３は音名４や継続記号５１を拍枠３の中に縦並びに記入することで表すことを特徴とする楽譜。
【請求項４】
請求項１乃至３のいずれか１項記載の楽譜を表示するための楽譜表示装置であって、小節１の数の入力を受理して前記小節に対応する小節枠２を作成する作成手段と、拍子の入力を受理して前記小節枠２を拍枠３に区切って表示する表示手段と、拍枠３内に占める割合でその長さを表すように音名４や記号５を拍枠３内に表示するように制御する制御手段とを備えて構成されることを特徴とする楽譜表示装置。
【請求項５】
請求項１乃至３のいずれか１項記載の楽譜を表示するための楽譜表示装置であって、小節１の数の入力を受理して前記小節に対応する小節枠２を作成する作成手段と、拍子の入力を受理して前記小節枠２を拍枠３に区切って表示する表示手段と、拍枠３内に占める割合でその長さを表すように音名４や記号５を拍枠３内に表示するように制御する制御手段と、単音４１は音名４や記号５を拍枠３の中に横並びに表示するように制御する制御手段と、和音４２や重音４３は音名４や記号５を拍枠３の中に縦並びに表示するように制御する制御手段とを備えて構成されることを特徴とする楽譜表示装置。
【請求項６】
請求項１乃至３のいずれか１項記載の楽譜を表示するための楽譜表示装置であって、小節１の数の入力を受理して前記小節に対応する小節枠２を作成する作成手段と、拍子の入力を受理して前記小節枠２を拍枠３に区切って表示する表示手段と、拍枠３内に占める割合でその長さを表すように音名４や継続記号５１や無音記号５２を拍枠３内に表示するように制御する制御手段と、単音４１は音名４や継続記号５１を拍枠３の中に横並びに表示するように制御する制御手段と、和音４２や重音４３は音名４や継続記号５１を拍枠３の中に縦並びに表示するように制御する制御手段とを備えて構成されることを特徴とする楽譜表示装置。
【請求項７】
請求項１乃至３のいずれか１項記載の楽譜を表示するための楽譜表示装置であって、音名４や継続記号５１や無音記号５２の入力を受理して音名４や継続記号５１や無音記号５２を表示する表示手段と、入力した音名４や継続記号５１や無音記号５２を１拍分ずつ囲って拍枠３を表示する手段と、前記拍枠３を拍子の数ごとにまとめて小節枠２を表示する手段と、単音４１は音名４や継続記号５１を横並びに表示するように制御する制御手段と、和音４２や重音４３は音名４や継続記号５１を縦並びに表示するように制御する制御手段とを備えて構成されることを特徴とする楽譜表示装置。
【発明の詳細な説明】
【０００１】
【発明の属する技術分野】
本発明は演奏のための楽譜と楽譜表示装置に関する。
【０００２】
【従来の技術】
ピアノなど洋楽器の練習には五線譜が使われるので、学習者は五線上に書かれた音符の表す音高と音長、そしてさまざまな形の休符の長さをおぼえて楽譜を読み取っていた。音符を読むのが苦手な学習者は音符のそばにカナで音名を書き込んだり、音符の玉の中に音名が書いてある楽譜を使ったり、楽譜なしで演奏手順（指の動かし方、押さえる場所など）の記憶と鳴った音を頼りに練習したり、鳴らすべき鍵盤が順に光る鍵盤装置を使うことがあった。
【０００３】
五線譜の内容を別の記譜法で表そうとする試みには、例えば特開平１０−０８３１８２号に表された発明などがあった。
【０００４】
【発明が解決しようとする課題】
五線譜を瞬時に読み取れない学習者が音符のそばにカナでドレミを書き込んだり音符の玉の中に音名が書いてある楽譜を使うと、音名はわかっても正確な音高や音長は音符から読み取るしかない上に、音の数が多くなると譜面が見づらくなった。譜面を使わずに演奏手順の記憶と鳴った音を頼りに練習していると、自分が今どこを演奏しているかがわからないので部分練習ができず、円滑な演奏ができるまでに長い時間がかかった。鍵盤が光って演奏順を知らせる電子キーボードを使うと、その装置に記憶されている曲しか弾けなかった。
【０００５】
音符がわからないと自分の作曲した曲を譜面に書き表せなかった。
【０００６】
特開平１０−０８３１８２号に表された発明は五線を使わない楽譜であるが、そこにおいては音名ド、レ、ミ、ファ、ソ、ラ、シが数字の１、２、３、４、５、６、７で表されているので、それぞれの数字が表す音名をまずおぼえないと譜が読み取れないだけでなく、ピアノの指使いを表す数字１、２、３、４、５と重なるのでまぎらわしかった。また同じ音名でオクターブ違う音の区別のつけ方、および重音の表記方法が不明であり、和音が和音記号で表される場合には和音記号の知識がないと読み取れなかった。
【０００７】
以上のような問題点を解決するために、五線譜に書かれたすべての情報を音符や和音記号の知識のない人でもすぐに読み取れるように表記された楽譜、およびその楽譜を表示する楽譜表示装置を提供することを目的とする。
【０００８】
【課題を解決するための手段】
上記目的を達成するために、五線譜の小節１に対応する小節枠２を構成し、この小節枠２を区切って拍枠３を構成し、拍枠３内に占める割合でその長さを表す音名４や記号５を拍枠３の中に記入することで表記されることを特徴とする楽譜（以下、これを「文字譜」と呼ぶこととする）および楽譜表示装置を構成する。
【０００９】
上記の文字譜においては、横並びに書かれた音名４は単音４１を表し、縦並びに書かれた音名４は和音４２や重音４３を表し、音や休符の長さは音名４や継続記号５１や無音記号５２が拍枠３内に占める割合によって表すことを特徴とする。
【００１０】
上記の楽譜表示装置においては、小節１の数の入力を受理して前記小節に対応する小節枠２を作成する作成手段と、拍子の入力を受理して前記小節枠２を拍枠３に区切って表示する表示手段と、拍枠３内に占める割合でその長さを表すように音名４や記号５を拍枠３内に表示するように制御する制御手段と、単音４１は音名４や継続記号５１を拍枠３の中に横並びに表示するように制御する制御手段と、和音４２や重音４３は音名４や継続記号５１を拍枠３の中に縦並びに表示するように制御する制御手段とを備えて構成されることを特徴とする。
【００１１】
また請求項７の楽譜表示装置においては、請求項１乃至３のいずれか１項記載の楽譜を表示するための楽譜表示装置であって、音名４や継続記号５１や無音記号５２の入力を受理してを音名４や継続記号５１や無音記号５２を表示する表示手段と、入力した音名４や継続記号５１や無音記号５２を１拍分ずつ囲って拍枠３を表示するように制御する制御手段と、前記３を拍子の数ごとにまとめて小節枠２を表示するように制御する制御手段と、単音４１は音名４や継続記号５１や無音記号５２を横並びに表示するように制御する制御手段と、和音４２や重音４３は音名４や継続記号５１を縦並びに表示するように制御する制御手段とを備えることを特徴とする楽譜表示装置を構成する。
【００１２】
【発明の実施の形態】
以下、本発明の実施の形態を説明する。まず文字譜の表記方法を図１、図２、図３に基づいて説明し、その後、文字譜を表示する楽譜表示装置について図４、図５、図６、図７に基づいて説明する。
【００１３】
図１において、４分の４拍子の曲「星に願いを」のピアノ譜（ａ）の８つの小節１に対応するように８つの小節枠２を設けたものが（ｂ）である。これらの８つの小節枠２は最初から順番に第１小節枠２１、第２小節枠２２、第３小節枠２３、第４小節枠２４、第５小節枠２５、第６小節枠２６、第７小節枠２７、第８小節枠２８とする。
【００１４】
曲の流れは左から右へと進み、小節枠２は上段と下段から構成され、ピアノ譜と同じように上段が右手パート、下段が左手パートを表す。
【００１５】
次に小節枠２を曲の拍子の数で区切って拍枠３を構成し、拍枠３の中に音名４や継続記号５１や無音記号５２を記入する。ひとつの拍枠３の大きさはその中に書かれる音名４や継続記号５１や無音記号５２の量に応じて変化するが、大きさが違っても拍枠３ひとつは常に１拍を表す。
【００１６】
拍子と拍枠３と小節枠２の関係について説明すると、４分の２拍子であっても２分の２拍子であっても２拍子の曲はすべて連続する２つの拍枠３でひとつの小節枠２が構成される。２分の３拍子であっても４分の３拍子であっても８分の３拍子であっても３拍子の曲はすべて連続する３つの拍枠３でひとつの小節枠２が構成される。２分の４拍子であっても４分の４拍子であっても８分の４拍子であっても４拍子の曲はすべて連続する４つの拍枠３でひとつの小節枠２が構成される。４分の６拍子であっても８分の６拍子であっても６拍子の曲はすべて連続する６つの拍枠３でひとつの小節枠２が構成される。
【００１７】
拍枠３の中に記入する音名の表記方法にはアルファベット表記「ＣＤＥＦＧＡＢＣ」や日本語表記「ハニホヘトイロハ」などもあるが、ここでは初心者に一番わかりやすい「ドレミファソラシド」を用いる。一口に「ド」といっても低い音域のドから高い音域のドまでピアノの鍵盤上では８種類あり、「ド」という音名だけでそのうちのどれなのかを特定することはできない。そのため、それらを区別して表記する方法として１オクターブごとに音名の字色や字体や文字の大きさを変えることが考えられるが、本発明においては図２にあるようにオクターブごとにひらがなとカタカナ、太字体と細字体、および囲み文字で区別するものとする。上記をもっと詳しく説明すると、ピアノ鍵盤の中央のドを中心にそれより高い音域はカタカナで表し、低い音はひらがなで表す。さらにそのひらがなやカタカナは、中央のドに近いものからオクターブごとに順に細字体、太字体、細字体の囲い文字、太字体の囲い文字で表示すると、ピアノの白鍵すべてが表示できる。
【００１８】
音名にはド、レ、ミ、ファ、ソ、ラ、シという幹音名と、幹音名にシャープやフラットのついた派生音名とがあるが、本発明においては図１（ｂ）の第１小節枠２１の下段３拍目にあるように、シャープが付く派生音名は幹音名の右横に右半カッコ６１をつけて表し、第５小節枠２５の下段３拍目にあるようにフラットが付く派生音は幹音名の左横に左半カッコ６２をつけて表す。または半カッコをつける代わりに、例えばシャープの付く音名は赤で表示しフラットの付く音名は青で表示することなど、派生音名だけを別の色で表示することも考えられる。
【００１９】
次に音の長さの表記方法について、図１（ｂ）に基づいて説明する。第１小節枠２１の上段のように、ひとつの拍枠３の中に音名４がひとつだけ書かれていればその音は１拍であることを表す。第４小節枠２４の下段２拍目「みみ」のように、ひとつの拍枠３の中に音名４が横並びに２つ書かれていれば半拍の音が２つであることを表す。第６小節枠２６の下段３拍目「そしれ」のように、ひとつの拍枠３の中に音名４が横並びに３つ書かれていれば３分の１拍の音が３つであることを表す。第６小節枠２６の下段４拍目「しれふぁし」のように、ひとつの拍枠３の中に音名４が横並びに４つ書かれていれば４分の１拍の音が４つであることを示す。
【００２０】
ひとつの音が１拍以上の長さである場合には１番目の拍枠３の中にひとつの音名４を書き、２番目以降の拍枠３の中に必要なだけ継続記号５１を書くことで同じ音が鳴り続けることを表す。例えば、第１小節枠２１の下段の「どー」は２拍を表し、第８小節枠２８上段の「ソーー」は３拍を表し、第２小節枠２２の下段「れーーー」は４拍を表す。
【００２１】
１拍半の音を表すには第４小節枠２４の上段の「ドー」および第７小節枠２７の上段の「シー」のように、その音の鳴る最初の拍枠３の中に音名４をひとつ書き、次の拍枠３の左半分に継続記号５１を書き、残りの右半分に次の音名４または休符を意味する無音記号５２を書く。
【００２２】
休符を意味する無音記号５２はすべて同一の形で表し、その長さは音の長さと同じようにひとつの拍枠３の何分の一を占めているか、あるいは拍枠３いくつ分を占めているかで表す。また半拍の無音記号５２は第４小節枠２４の上段および第７小節枠２７の下段にあるように、同じ拍枠３の右あるいは左の残り半分に音名４を書くことによってその無音記号５２は半拍であることが表される。
【００２３】
和音４２は第３小節枠２３の下段「それふぁ」や第４小節枠２４の下段「どみそ」のように、また重音４３は第５小節枠２５の上段「レレ」「ドド」「シシ」「ララ」のように、同時に鳴るすべての音の音名４を拍枠３の中に縦一列に並べて表す。そしてその音の長さの表し方は単音４１と同じである。
【００２４】
本発明は五線譜が読めない学習者を主な対象とした楽譜であるので、五線譜における「調号」や「ナチュラル」は取り入れずに、シャープを表す右半カッコ６１やフラットを表す左半カッコ６２は付いている音名４にのみ有効とする。
【００２５】
図３（ｂ）はピアノ練習曲の五線譜の内容（ａ）をすべて文字譜に書き換えたものであり、ピアノ譜に必要な指番号７１は音名４のそばの枠外に表記し、強弱記号や速度記号などの楽語７２は上段と下段の間に楽語表記枠７３を設けてその中に記入する。そうすれば、ピアノ譜に限らずどんな楽器どんな編成の五線譜でも本発明の文字譜に書き換えられる。
【００２６】
打楽器用のリズム譜は、図６（ａ）のタンブリン、カスタネット、スズのパートに書かれているように、打音記号７４と無音記号５２で表す。
【００２７】
以下に本発明の楽譜表示装置の１実施形態として、端末装置においての実施例について説明する。該端末装置は本体、液晶ディスプレイ、キーボード、スピーカ、プリンタから構成され、本体内部にはＣＰＵ、ＲＯＭ，ＲＡＭ，インターネット接続のための通信回路、楽譜データを再生してスピーカから出力させるためのＦＭ音源回路、本実施例装置を動作させるために必要な回路が内蔵されている。なおこのような回路は本実施例が対象とする端末装置では周知であるので、詳細な説明は省略する。
【００２８】
本発明の楽譜表示装置を起動させて新規作成ウインドウを選択すると、画面には図４（ａ）にあるようにパートと拍子の入力画面１００が表示されるので、ユーザーはパート数１０１、拍子１０２、および拍子に対応する小節枠範囲１０３を入力する。（ｂ）の画面は曲全体が５つのパート、４６の小節枠２からなり、第１小節枠から第１６小節枠までは８分の６拍子、第１７小節枠から第３２小節枠までは４分の４拍子、第３３小節枠から第４６小節枠までは４分の３拍子である曲の入力例である。ユーザーはパートと拍子の入力が終わったら、音名入力画面２００に移る。
【００２９】
次に音名入力方法を図５と図６に基づいて説明する。図５にあるように音名入力画面２００に移動すると、ユーザーがパートと拍子の入力画面１００で入力した数のパートが無音記号５２の記入された小節枠２の連続として表示される。画面上部にはツールバー２０１として速度記号、強弱記号、発想記号、反復記号が表示され、その下には音名４の書かれた音名鍵盤２０２、拍枠の分割２０３、貼り付け記号２０４が表示されている。
【００３０】
ユーザーは作業する拍枠３を選択し、その拍枠３を何分割するかを数字で拍枠の分割２０３に入力し、音名鍵盤２０２の中の音名４や貼り付け記号２０４の中から必要なものを選択して前記拍枠３に貼り付けることで文字譜を作成する。速度記号、強弱記号、発想記号、反復記号は画面上のその文字を選択するとそれぞれ詳細が表示されるので、その中から選んで譜面の必要な箇所に貼り付けることで表記する。
【００３１】
図６は縦笛、ピアニカ（片手で演奏するポータブル鍵盤楽器）、タンブリン、カスタネット、スズの５つのパートからなる合奏曲の楽譜の冒頭部分であり、  （ａ）は文字譜で書き表したもの、（ｂ）は（ａ）と同じ内容を五線譜で書き表したものである。打楽器のリズム譜は、打音記号７４と無音記号５２で表記される。
【００３２】
以上のような文字譜は、中高年のピアノ初心者や音符を覚えるのが困難である幼児の楽器演奏練習に有効であり、いずれ五線譜に移行するための準備教材としても使える。
【００３３】
請求項７の楽譜表示装置においては、図７（ａ）にあるようにまず音名４や記号５を入力し、次に（ｂ）にあるように１拍の範囲を指定することで拍枠３を表示し、最後に（ｃ）にあるように拍子の数を入力することで小節枠２を表示するものである。作曲途中など小節枠数が定まらないような場合にはこの入力方法が便利である。
【００３４】
請求項４乃至請求項７の楽譜表示装置において、作成された文字譜を読み込んで演奏させる機能をつければユーザーは入力した譜面の内容確認ができる。この演奏機能は電子楽器の液晶画面上でも実施可能であり、ユーザーは電子楽器の模範演奏を譜面（文字譜）で確認しながら聞くことができる。
【００３５】
本発明の文字譜に関しては紙にプリントアウトしての販売はもちろんであるが、顧客の希望する曲（既存五線譜）を文字譜に変換してインターネットで配信販売するビジネスモデルが考えられる。顧客が文字譜変換希望を販売代行者（楽器店、学校、登録教師など）を通してサーバに出すと、本発明の楽譜表示装置を装備したサーバは、顧客の希望曲（既存五線譜）を文字譜に変換して販売代行者に配信し、それを受信した販売代行者が専用紙にプリントアウトして顧客に販売するシステムである。このシステムを使うとサーバは在庫をまったく出さずに顧客の希望する文字譜をすぐ作成販売でき、顧客は必要な文字譜がすぐに手に入る利便性がある。
【００３６】
【発明の効果】
（１）本発明の楽譜および楽譜表示装置を使えば、音符や和音記号をまったく知らない人でもすぐに読める楽譜を提供できる。
（２）本発明の楽譜および楽譜表示装置を使えば、音符や和音記号をまったく知らない人でもすぐに楽譜を書き表すことができる。
（３）インターネットを通して五線譜から文字譜への変換配信販売ビジネスが展開できる。
【図面の簡単な説明】
【図１】（ａ）はピアノ曲「星に願いを」の五線譜
（ｂ）は（ａ）を本発明の文字譜で表記したもの
【図２】本発明の文字譜における音名と鍵盤と音符との対応図
【図３】（ａ）はピアノ練習曲の五線譜
（ｂ）は（ａ）を本発明の文字譜で表記したもの
【図４】（ａ）は本発明の楽譜表示装置のパートと拍枠入力画面
（ｂ）は（ａ）における入力例
【図５】本発明の楽譜表示装置の音名入力画面
【図６】（ａ）は５種類の楽器による合奏曲を本発明の文字譜で表記した楽譜
（ｂ）は（ａ）を五線譜で表記した楽譜
【図７】（ａ）は請求項７の楽譜表示装置における音名や記号の入力例
（ｂ）は（ａ）に拍枠を表示したもの
（ｃ）は（ｂ）に小節枠を表示したもの
【符号の説明】
１  小節
２  小節枠
２１  第１小節枠
２２  第２小節枠
２３  第３小節枠
２４  第４小節枠
２５  第５小節枠
２６  第６小節枠
２７  第７小節枠
２８  第８小節枠
３  拍枠
４  音名
４１  単音
４２  和音
４３  重音
５  記号
５１  継続記号
５２  無音記号
６１  右半カッコ
６２  左半カッコ
７１  指番号
７２  楽語
７３  楽語表記枠
７４  打音記号
１００  パートと拍子の入力画面
１０１  パート数
１０２  拍子
１０３  小節枠範囲
２００  音名入力画面
２０１  ツールバー
２０２  音名鍵盤
２０３  拍枠の分割
２０４  貼り付け記号
【図１】
2004177445.tif 000003
【図２】
2004177445.tif 000004
【図３】
2004177445.tif 000005
【図４】
2004177445.tif 000006
【図５】
2004177445.tif 000007
【図６】
2004177445.tif 000008
【図７】
2004177445.tif 000009